Podtech/llm-jp-corpus-v4-ja_patent huggingface dataset:
(57)【要約】      （修正有）【課題】プランターに立てる支え棒が倒れないようにする支柱固定具を提供する。【解決手段】プランターの長手両端にはめられる一対の固定具を支え棒固定用管７の両端で連結し、固定具と支え棒固定用管７との連結部６を、固定具の長手方向の中心からずれた位置に設けた。【選択図】図１
0003221111.tif 000002
【実用新案登録請求の範囲】
【請求項１】
一対の固定具（９）を支え棒固定用管（７）の両端で連結し、固定具（９）の中心をずらして設けたことを特徴とした支柱固定具。
【考案の詳細な説明】
【考案の詳細な説明】
【技術分野】
【０００１】  本考案は、浅型のプランターに植えた植物が倒れないようにする支え棒に関するものである。
【背景技術】
【０００２】  市販の浅型のプランターは土が少なくて済むが、背が高くなる植物を植える際倒れないように支え棒が必要である。その支え棒をしっかり固定する。
【先行技術文献】
【特許文献】
【０００３】
【特許文献１】特開２０１２−１８３０４１
【特許文献２】特開２０１０−２６３８７５
【考案の概要】
【考案が解決しようとする課題】
【０００４】  市販の浅型のプランターに背が高くなる植物を植えたい。そのためには支え棒を立てる必要があるが、浅型で土の少ないところに支え棒を立てればすぐ倒れてしまう。
【課題を解決するための手段】
【０００５】  プランターの横長の両端にワンタッチで取り付けられるビニールパイプ製のはめ込み具体を作り、この左右のはめ込み具体の間をビニールパイプでつなぎ、このパイプに何箇所か孔を開け、この孔に市販の支え棒を通し、プランターの土に差し込む。
そのプランターにはめ込む具体の作り方によっては、しっかり止まらないことがあるが、それを解決するため、下記方法をとる。
（イ）プランターの片方にはめ込んだ部材ともう一方にはめ込む部材とをビニールパイプでつなぐ長さを少し短めにした。
（ロ）プランターの両端にはめ込む具体は、プランターの横幅より少し小さめにしたが、ワンタッチにて取り付け、取り外しが出来る。
【考案の効果】
【０００６】市販のプランターにおいて下記の効果がある。
１．  浅型で土が少なくても支え棒が立てられる。
２．  背丈の高い植物でも支え棒がしっかりしているので植えられる。
３．  つる性（きゅうり等）でも大丈夫。
４．  長さ約３ｍ位の支え棒でも台風の際にも倒れない。
５．  マンションのベランダでも背の高い植物を育てられる。
６．  具体は、鉄製でないので水がかかっても錆びない。
７．  軽いので持ち運び易い。
【図面の簡単な説明】
【０００７】
【図１】  本考案の全斜視図である。
【図２】  本考案の使用説明図である。
【考案を実施するための形態】
【０００８】    以下、本考案の実施の形態について説明する。
（イ）本考案のうち支え棒を立てる部品Ｔ型つなぎ管（６）を中心に左右同一の部材を設け、まず左の部品の上腕管（１）と（２）をＴ型つなぎ管（６）の両側に差し込む。
（ロ）上腕管（１）と（２）はわずか長さを違えてあり、支え棒固定用管（７）がプランターの中心にこないようにする。
一対の固定具（９）を支え棒固定用管（７）の両端で連結し、固定具（９）の中心をずらして設けたことが特徴である。
（ハ）一般的にプランターの中心に植物を植えることが多いので、この植物と支え棒固定用管（７）とが重なってしまうと支え棒を土に挿した際に植物の根に傷をつける恐れがあるので、プランターの幅方向に架かる支え棒固定用管（７）を中心ではなく、少々ずらして位置取りしてあるのが特徴である。
（ニ）固定具（９）は、上腕管（１）（２）と下腕管（３）を同一のスペーサーを止めねじで固定したものである。
（ホ）左側の部材が出来たら、同じ作り方で右側の部材を作る。
（ヘ）左右同型の部材をつないで一体化するため、プランターの横の長さに合った寸法の支え棒固定用ビニール管（７）を接着固定する。
（ト）支え棒を差し込める孔（８）を支え棒固定用管（７）にあける。
（チ）具体をプランターの長手両端にワンタッチで挿し込むようにはめる。
（リ）材質は、スペーサー、止めねじを除きビニールパイプを使用する。
本考案は以上のような構成である。
本考案を使用するときは、先ずプランターに植物を植え、作った具体を植物を傷つけないようにプランターの両端にワンタッチではめ込み、支え棒固定用管（７）の孔（８）に市販の支え棒を差し込み、その棒にビニールひも等で括りつけると本考案が出来上がる。
この本考案を使用したところ、きゅうり、トマトを３ｍの高さまで育てることが出来、２０１５年９月の台風にも耐えられた。
【符号の説明】
【０００９】    １  上腕管
２  上腕管
３  下腕管
４  スペーサー
５  止めねじ
６  Ｔ型つなぎ管
７  支え棒固定用管
８  支え棒通し孔
９  固定具
１０  支え棒
１１  市販のプランター
【図１】
0003221111.tif 000003
【図２】
0003221111.tif 000004
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
プランターの長手両端にはめられる一対の固定具（９）を支え棒固定用管（７）の両端で連結し、前記固定具（９）と前記支え棒固定用管（７）との連結部を、前記固定具（９）の長手方向の中心からずれた位置に設けたことを特徴とした支柱固定具。
(57)【要約】      （修正有）【課題】消波機能を持ち、且つ漁業者の魚礁としても活用できる消波機能付き魚礁を提供する。【解決手段】消波機能と魚礁を兼ね備え、海中に設置されるコンクリート構造物であって、４つの長方形の側面を有する下段部と、下段部の上方に設置され、２つの上辺の短い台形又は三角形、及び２つの長方形からなる側面を有する上段部とからなり、下段部と上段部の内部は中空である。【選択図】図１
0003221119.tif 000002
【実用新案登録請求の範囲】
【請求項１】
側面が長方形である下段部と下段部の上方に設置される側面の上辺の短い台形、又は三角形である上段部とからなり、下段部と上段部の内部は中空である事を特徴とする消波機能付き魚礁
【請求項２】
上段部は波を受ける沖から岸へ向かう方向の長さがその左右方向の長さより大きい形状である事を特徴とする請求項１に記載の消波機能付き魚礁
【請求項３】
上段部と下段部の面は空隙の中央部に設けられた隔壁を備えていることを特徴とする請求項１又は請求項２に記載の消波機能付き魚礁。
【考案の詳細な説明】
【技術分野】
【考案の概要】
【０００１】本案は海水浴場やボート競技場等の消波効果を高め客や競技者の安全を確保すると共に、漁業者の魚礁としての活用を目指して、設置するものである。
【０００２】消波提は消波ブロックやテトロポット等で造られていて海岸を守るために海岸線に沿っても設けられる構造物。波のエネルギーを弱めることにより海食壁の浸食や砂浜の後退を防ぐために造られる。
魚礁は天然のものと、人工漁礁があり岩や消波ブロック、廃船などの人口物を海底に沈めたものである。消波ブロックやテトラポット等で造られた物は漁礁機能野ある物もある。
【背景技術】
【考案が解決しようとする課題】
【０００３】現状では漁礁は海底に設置され消波効果はない。消波機能を持ち尚且つ漁業者の魚礁としても活用できるものはなく、消波機能を持ち漁礁としても活用できる設備  施設はなく、漁礁効果と消波機能の両方の機能  効果を持つ構造物を造る事が課題である。
【０００４】本案は消波提と魚礁を兼ねられるコンクリート構造物であります。
コンクリート立方体を中空にしたのは、製造コストを低く抑える事と内部を中空にすることで上段部は消波効果を高めることであります。
下段部は漁礁機能をより、有効化するためで在ります。
中空化は魚類や海藻等の海中生物に広いスペースを与えて、それらの集まりやすい環境を整えるためで在ります
【課題を解決するための手段】
【０００５】  上段部と下段部を分けて製造することはコストの削減と製造及び設置作業を簡素化できるし製造拠点を日本のどこにでも設置することができる。
【０００６】上段部は波浪を直接受ける沖から岸への方向が左右よりも長くしてある。
波による外力で、上段部が転倒しないように設計したものである。
【０００７】上段部の波浪による転倒を防ぐために、上辺の短い台形か三角形形状にする必要があります。
【０００８】上段部の中央に□形状に隔壁を設置したのは、上段部の構造強度を高め共に消波効果を確保出来るので、設置の必要があります。
【０００９】下段部中央に□形に隔壁を設置したのは、下段部自身の強度を高める事とに上段部が搭載される為にその重量に耐え得る強度を得る為である
隔壁は影を形成して、集魚効果が高まり、海藻などの生えやすい環境がうまれます。
【００１０】本案は消波提と魚礁を一体化した、初の考案で在り、観光や漁業に活用すれば、多大の経済効果を生むことになる。
【００１１】本案は水深４〜６ｍに適応するように設計したが、下段部の下にもう一段設置すれば、１０ｍの水深まで対応できる。
【００１２】本案は日本の最高水位（最大満潮）は天草地方が３ｍでありその他の地域は２．４〜２．５ｍ以下です。
日本の北へ行くほど潮の干満の差は少なくなります。この施設は常に海面上に可視化できます。０．５ｍ〜２．０ｍ海面上にあり、漁船など船舶が衝突事故を引き起こすことは低減されます。
尚且この施設の沖合の海は常に見えています。港湾施設の堤防のように閉塞感は生まれません。
【考案の効果】
【００１３】本案の消波機能付き魚礁は設置すれば、海水浴場の客や競技者の安全を守り交流人口を増やして、地域の活性化  発展を創生できるし地域の観光の発展に寄与することができるし、魚礁の活用により漁業の水揚げ量を増やし、地域の活性化  発展に貢献できる。
【図面の簡単な説明】
【００１４】
【図１】本考案の図を左右方向４５度から観た見取図
【図１】
0003221119.tif 000003
【手続補正書】
【提出日】平成31年2月13日(2019.2.13)
【手続補正１】
【補正対象書類名】実用新案登録請求の範囲
【補正対象項目名】全文
【補正方法】変更
【補正の内容】
【実用新案登録請求の範囲】
【請求項１】
４つの長方形の側面を有する下段部と、下段部の上方に設置され、２つの上辺の短い台形、又は三角形、及び２つの長方形からなる側面を有する上段部とからなり、下段部と上段部の内部は中空である事を特徴とする消波機能付き魚礁。
【請求項２】
上段部は平面視で、一辺の長さが、前記一辺に直交する他辺の長さより大きい長方形であり、前記一辺が伸びる方向が、波を受ける沖から岸へ向かう方向である事を特徴とする請求項１に記載の消波機能付き魚礁。
【請求項３】
上段部と下段部の全ての側面は開口部を有し、一部の開口部の中央部には隔壁を設けている事を特徴とする請求項１又は請求項２に記載の消波機能付き魚礁。
(57)【要約】      （修正有）【課題】ティーパックの糸を固定し、ティーパックの脱落を防止できるカップを提供する。【解決手段】カップ１の持ち手の延長上部にティータグ４よりも細い溝２を設け、ティーパックの糸３を固定する。飲用する際に、カップを持ち手側に傾けるのは稀であり、内容物がこぼれにくい位置に溝を設け、左右両手でも使いやすい形状とした。【選択図】図２
0003221117.tif 000002
【実用新案登録請求の範囲】
【請求項１】
本発明は、カップ（１）の淵、かつ取っ手の延長上部に、ティータグ（４）よりも細い溝（２）を設け、溝に糸（３）を引っ掛けることにより、ティーパック全体の脱落を防止し、また、引き上げ時の火傷の恐れを防ぐと共に、飲用時に口に糸（３）が混ざる事を防ぐなど、飲用時の快適さを求めた発明である。
【考案の詳細な説明】
【技術分野】
【０００１】  本考案は、ティーパックの糸（３）をカップ（１）の溝（２）にかけることでティーパック（５）の固定を目的とする。
【背景技術】
【０００２】  従来のカップはティーパックの糸を固定するものが、ほぼ販売されていなかった。【０００３】  この改善策として溝（２）をカップ（１）の持ち手の延長上部に入れることで、溝にティーパックの糸（３）を掛けることにより、ティーパック（５）の固定、及び左右両手でも使いやすい形状とした。【０００４】
【考案の概要】
【考案が解決しようとする課題】
【０００５】  解決しようとする問題点は、ティーパックの糸（３）が不安定で、ティーバック全体がお茶に沈没した際に、取り上げ時火傷を負う恐れがあった。また、テーパックの糸（３）が飲用時口内に混ざるなど、快適さを損なう事が度々あった。
【課題を解決するための手段】
【０００６】  本考案は、カップ（１）の縁、かつ持ち手の延長上部に、ティータグ（４）より細い溝を設けた。
【考案の効果】
【０００７】ティータグ（４）より細い溝（２）をカップ（１）の持ち手の延長上部に設ける事で、溝（２）にティーパックの糸（３）を掛けることにより、ティーパック（５）の固定、及び左右両手でも不便なく飲めるという利点を設けた。【０００８】内容物をカップに対し満杯まで注いだ場合、溝から内容物がこぼれる恐れがあるが、飲用時にカップ（１）を持ち手側に傾ける事は稀であり、使用時に於いて、内容物が溝（２）からこぼれて、内容物の指への付着、及び火傷の恐れは、溝（２）を持ち手の延長上部に設ける事で解決した。
【図面の簡単な説明】
【０００９】
【図１】および
【図２】図１および図２は使用状態を示した説明図である。（実施例１）
【考案を実施するための形態】
【００１０】  カップの縁、かつ持ち手の延長上部にティータグ（４）より細い溝を設けた。
【実施例１】
【００１１】  図１は、本考案の１実施例の参考斜視図である。
図２は、本考案の１実施例の参考斜視図である。
【符号の説明】
【００１２】  １    カップ
２    溝
３    糸
４    ティータグ
４    ティーパック
【図１】
0003221117.tif 000003
【図２】
0003221117.tif 000004
【手続補正書】
【提出日】平成31年2月14日(2019.2.14)
【手続補正１】
【補正対象書類名】実用新案登録請求の範囲
【補正対象項目名】全文
【補正方法】変更
【補正の内容】
【実用新案登録請求の範囲】
【請求項１】
カップの縁の取っ手の延長上部に、ティーパックの糸を引っ掛けるための、ティータグよりも細い溝を設けたことを特徴とするカップ。
(57)【要約】      （修正有）【課題】気化熱冷却生地を使用する治具を提供する。【解決手段】生地抜け防止ピンを球体に差し込み接着固定された球体と束ねリング冶具３との間に気化熱冷却生地１を挟み込んだ構成を特徴とする。【選択図】図１
0003221116.tif 000002
【実用新案登録請求の範囲】
【請求項１】
気化熱冷却生地（１）を使用する時に、生地抜け防止ピン（４）が球体（２）に差し込み接着固定された球体（２）を包み込む様にして、気化熱冷却生地（１）の生地先端四端（５）を束ねリング治具（３）の穴（６）に通し、球体（２）に向かって束ねリング治具（３）をスライドさせながら、束ねリング治具（３）と生地抜け防止ピン（４）との間に気化熱冷却生地（１）を挟み込むようにして使用する治具。
【考案の詳細な説明】
【技術分野】
【０００１】この考案は気化熱冷却生地を使用するときの治具に関するものである。
【背景技術】
【０００２】従来は、一枚の平面生地を首に掛けたり巻いたりして使用していた。
【考案の概要】
【考案が解決しようとしている課題】
【０００３】気化熱冷却生地一枚の平面生地を水に濡らして使用するとき次の様な欠点があった。
（イ）首に掛けると重みで首や肩が凝ってくる。
（ロ）洋服の襟が濡れてしまい逆に不快感を覚える。
（ハ）一度濡らすと乾くまで安易に放置した所が濡れてしまう。
（二）一枚が大きすぎると使い難い。
（ホ）使用時期が夏季に限定されてしまう。
本考案は、以上の様な欠点をなくすためになされたものである。
【課題を解決するための手段】
【０００４】気化熱冷却生地（１）の大きさは約２０ｃｍ×２０ｃｍの物を、使用する時に生地抜け防止ピン（４）が直径約５ｃｍの球体（２）に差し込み接着固定された、球体（２）を包み込む様にして、気化熱冷却生地（１）の生地先端四端（５）を束ねリング治具（３）の穴（６）に通し、球体（２）に向かって束ねリング治具（３）をスライドさせながら、束ねリング治具（３）と生地抜け防止ピン（４）との間に気化熱冷却生地（１）を挟み込むようにして使用する。
本考案は、以上の構成よりなる気化熱冷却生地を使用する治具である。
【考案の効果】
【０００５】（イ）首や肩に掛けたり巻いて身体を冷やさなくても生地先端四端部分で首筋にあてたり、球体を脇の下に挟んで動脈が通っている所にあてて使用できるようになる。
（ロ）上記により洋服の襟を濡らす事無く身体を冷やす事ができるようになる。
（ハ）一度濡らして放置しても床との接する面が小さいので濡れる影響少なくなる。
（二）手の平サイズなのでコンパクトで形状も崩れず畳まずにポケットに入れて四季を問わず携帯できるようになる。
（ホ）眠気が生じた時に、球体を握りしめて手の平を冷やす事で軽減できるようになる。また、子供が熱を出した時や、球体を足の土踏まずにあてて身体を冷やすことができ四季を通して使用する事ができるようになる。
【図面の簡単な説明】
【０００６】
【図１】本考案の立面図である。
【図２】本考案の断面図である。
【図３】本考案の使用準備状態図である。
【符号の説明】
【０００７】１  気化熱冷却生地
２  球体
３  束ねリング治具
４  生地抜け防止ピン
５  生地先端四端
６  穴
【図１】
0003221116.tif 000003
【図２】
0003221116.tif 000004
【図３】
0003221116.tif 000005
【手続補正書】
【提出日】平成31年1月31日(2019.1.31)
【手続補正１】
【補正対象書類名】実用新案登録請求の範囲
【補正対象項目名】全文
【補正方法】変更
【補正の内容】
【実用新案登録請求の範囲】
【請求項１】
生地抜け防止ピン（４）を球体（２）に差し込み接着固定された球体（２）と束ねリング冶具（３）との間に気化熱冷却生地（１）を挟み込んだ構成を特徴とする気化熱冷却生地を使用する冶具。
(57)【要約】      （修正有）【課題】移動できず車中でエンジンをかけ冷暖房を使用した際、排気マフラーに雪等が塞がることによる一酸化中毒を防止出来、また一定の水溜り等でもエンジントラブルを防ぎ移動できる簡易排気マフラー延長システムを提供する。【解決手段】車体下部にある排気マフラーに延長マフラーを差し込み、その車のキャブレーター空気吸い込み口の位置まで上方に伸ばして固定する。車中一酸化中毒を防ぎ、一定の深さの水溜りの中でも車の移動が可能となる。延長マフラーのパイプ及び車体固定金具の形状材質は、その車種に応じて適切に使用する。【選択図】図１
0003221108.tif 000002
【実用新案登録請求の範囲】
【請求項１】
自動車の排気マフラーに簡単に装着できるパイプ状のもので、排気マフラーを延長する形をエンジン部分の空気吸取り口と同等の高さにすることによって冬季移動できずエンジンをかけたままでも排気マフラーを塞がれることなく車中での一酸化中毒を防ぎ、集中豪雨により窪みにできた水溜りから容易に脱出が可能とする簡易排気マフラー延長システム。
【考案の詳細な説明】
【技術分野】
【０００１】本考案は、車体下部に装着してある排気ガスパイプに、延長パイプを装着するものである。
【背景技術】
【０００２】従来、排気ガスパイプは車体の下部に装着してある。
【先行技術文献１】
【０００３】
【特許文献】ＤＵＫＷ−ｗｉｋｉｐｅｄｉａ
【０００４】
【非特許文献】ＷＷＷ．Ｊａｖｏ．ＪＰ  日本水陸両用車協会
【考案の概要】
【考案が解決しようとする課題】
【０００５】排気ガスパイプが、車体の下部に装着している為、予期しない状況，積雪，水溜り等で、車中一酸化炭素中毒、又水中での水中トラブルで身動きが出来ない状態で毎年死亡が出ている。排気ガスパイプの位置をエンジン上部の位置まで上げる事によって、早期対策であれば事故は少なくなり解決する。
【課題を解決するための手段】
【０００６】本考案は、車体下部に装着、固定されている排気ガスパイプに簡易的に作成された脱着可能で、又固定しやすい道具を使用し排気ガスパイプからの排気ガスを外気に確実に放出し、雪その他で排気ガスパイプ出口を封鎖させず、又排気ガスを逆流することなく長時間車内に安全な状態を作る。又排気ガスパイプを先端から延長パイプでエンジン上部にある空気取入れ口より上部に固定することによって、その範囲内であれば水溜りから脱出可能となり解決する。
【考案の効果】
【０００７】上記の通り、何らかの理由で積雪中に車を駐車し移動が不可能な状態になっても排気ガスパイプの延長によって車内が安全に保たてる。エンジンをかけ暖房も安心して車中に居る事が出来る。又集中豪雨、又は何らかの事情で排気ガスパイプが水中に入る前に延長排気パイプを装着して、その先がエンジン上部にある空気取入れ口より上にあることによって、その範囲で自由に移動出来ることによってその効果はある。
【図面の簡単な説明】
【０００８】
【図１】車中排気中毒から水溜りから車体、車内を守るパイプ延長システム
【考案を実施するための形態】
【０００９】車体下部にある排気ガスパイプに筒状のパイプを差し込み、固定用具で固定する。排気ガスに筒状のパイプは、高さをその利用する車体エンジン部分より少し長めにして上部パイプに固定用金具で安全に固定する事によってその効用は発揮する。
【実施例】
【００１０】以下、添付図面に従って、一実施例を説明する。１つは耐久性、金属又はプラスチック等、適宜素材をその排気ガスパイプの形状に合わせ固定させ又その差し込んだ反対の先の部分に車体及びそれに変わる固定に安全な素材を利用し固定させる。上下の固定は車体が移動する場合としない場合を考慮し、その強度を保つ事が要求される。その状況が極端でなければ通常の固定方法で効果がある。【００１１】排気ガスパイプを固定させ、その先をそのまま上部に向いたままで固定すると、雪又は水等によってその効果は薄れる。その為先端は向きを横又下方に向く等にする事によって効果がある。【００１２】本考案は、車体の一部を利用するが、その部分は排気パイプマフラーの先端部分で、サイレンサーの通った最後の部分であるため車体機能に一切の影響はない。【００１３】本考案は、車体の一部を利用するが、車体の機能に全く影響はなく、国土交通省の公共建築設備工事標準図（機械設備工事編）にある通り、機能性がその目的に合致するものであれば、その形、寸法については多少の相違は差し支えないとある。【００１４】排気ガスパイプマフラーから出る一酸化炭素は、無味無臭無刺激の猛毒性気体で、気づいたときは運動神経が麻痺するため体が思うように動かなくなる。一酸化炭素は、ヘモグロビン酸素結合は２１０倍の強さがあり、大気中に微量に含まれていても中毒症状を起こす。毒性の強い常温常圧で気体は、非常に軽い物質である為、わずかな隙間が車に侵入する為に現在の車には必需品と考える。又引火性が強く空気と混合すると、きわめ爆発しやすい為、排気ガスパイプ延長マフラーは効果的である。
【符号の説明】
【００１５】１車体本体
２キャブレータ、空気吸い取り口
３排気ガスマフラー
４固定機具
５延長用マフラー
６固定機具
【図１】
0003221108.tif 000003
【手続補正書】
【提出日】平成31年2月7日(2019.2.7)
【手続補正１】
【補正対象書類名】実用新案登録請求の範囲
【補正対象項目名】全文
【補正方法】変更
【補正の内容】
【実用新案登録請求の範囲】
【請求項１】
筒状のパイプと、前記筒状のパイプを車体下部にある排気マフラーに差し込み、前記排気マフラーに固定するための固定用具とからなり、
前記筒状のパイプは、前記排気マフラーが延伸する方向に交差する方向であって、地面に対して反対方向に延伸するように前記排気マフラーに取り付けられ、
前記筒状のパイプの地面に対して反対方向に延伸する方向の長さは、排気マフラーの先端からエンジン部分の空気取り口までの高さと同じか又はそれよりも大きい値を有する簡易排気マフラー延長システム。
(57)【要約】      （修正有）【課題】英単語の記憶を容易にする為に、英単語の綴り、発音、意味を日常的に自然に目にする環境作りができる英単語学習用壁紙を提供する。【解決手段】英単語を習得するために必要な最重要情報すなわち単語の綴り１、単語の発音２、単語の意味３を一組として壁紙に印字する。壁紙の利用者は日常生活の中で無意識にしかも数か月、数年という長期にわたって目にすることとなり最小限の労力で英単語を習得できる。【選択図】図１
0003221106.tif 000002
【実用新案登録請求の範囲】
【請求項１】
英語の単語の、綴り▲１▼、発音▲２▼、意味▲３▼を一組として模様化し、表記印刷してあることを特徴とする壁紙。
【考案の詳細な説明】
【技術分野】
【０００１】  本考案は英語の単語の記憶及び学習を補助する壁紙に関するものである。
【背景技術】
【０００２】  英語を模様として表記印刷した壁紙はこれまでも存在したが、それら従来の英語表記の壁紙は英語文字をあくまでも壁紙の模様としてのみ使用し表記しており、当該壁紙がその利用者が英単語を学習するための補助になるということを目的としてはいなかった。そのため英単語の学習に必要不可欠な情報が記されてはいなかった。
【考案の概要】
【考案が解決しようとする課題】
【０００３】  これまで次のような問題があった。
そもそも英語の単語を記憶しようという時、教科書、参考書等の書籍系の教材の使用、あるいはコンピューター等のデジタル教材の使用等その使用教材の種類に関わらず、何回あるいは何十回と記憶する努力を繰り返さなければれば記憶として定着しないのである。それは英語学習者にかなりの苦労と忍耐を強いる作業となり、その為学習途中で挫折をしてしまう学習者も多数存在する。
【課題を解決するための手段】
【０００４】  本考案は英語単語習得の為に必要な当該単語関連情報の最も重要な三種類の情報、すなわち単語の綴り▲１▼、単語の発音▲２▼、単語の意味▲３▼を一組として模様化し、壁紙に表記印刷することを最も主要な特徴とする。
【考案の効果】
【０００５】  本考案の壁紙を貼った壁を有する部屋の利用者は、習得を目的とする英語の単語の綴り▲１▼、単語の発音▲２▼、単語の意味▲３▼を数か月、数年という長期間にわたり日常的に何度も繰り返し目にすることとなり、記憶しようという意識的な努力を必要とせずに当該英語の単語が無意識に記憶に刷り込まれていくこととなる。
【図面の簡単な説明】
【０００６】
【図１】本考案英単語学習用壁紙の表面図である。
【図２】本考案の実施例表面図である。
【図３】本考案の実施例斜視図である。
【考案を実施するための形態】
【０００７】  以下本考案を実施するための形態について説明する。
本考案は英語の単語に関連する三種類の最重要情報すなわち、単語の綴り▲１▼、単語の発音▲２▼、単語の意味▲３▼を一組として表記印刷した壁紙であるという構造であるため、その要件を充足していればその表現方法は、子供部屋用、居間用など部屋の用途あるいは利用者の好みによって様々なデザインが考えられる。
【実施例】
【０００８】  図２はその実施例であり、文字の種類、大きさ及び配置に変化を持たせているが、全ての単語は一つの単語について綴り▲１▼、発音▲２▼、意味▲３▼が一組となって表記されている為、外国語単語学習の補助をしつつ、壁を装飾するという壁紙としての役割を果たしている。【０００９】その他英単語と共にイラストや写真を配したりするデザインもある。【００１０】  また、動詞、名詞など品詞によって文字色を変えるなど、色の表現によって英単語学習の効果を増大させることも考えられる。
【産業上の利用方法】
【００１１】  壁紙は通常図３のごとくロール状になって商品化されており、横９０ｃｍから１２０ｃｍ、長さ２０ｍから５０ｍというのが標準的なサイズである。１ｍから５ｍほどの距離から視認できる文字の大きさで表記した場合、およそ１本のロールに１千語から１万語の単語が表記でき、壁の高さ、ガラス窓の大きさなど部屋の構造によって違いがあるが、六畳一間でおよそ１５００語から２５００語の英単語が本考案の綴り▲１▼、発音▲２▼、意味▲３▼を併記という形で表記できる。
【００１２】  本考案の壁紙を商品化する場合、１ロールごとに「中学三年間で教科書に出てくる英単語１５００語」「大学受験に必要な英単語３０００語」「日常会話に出てくる英単語５０００語」などの括りでの商品化が想定できる。因みに中学、高校の６年間で教科書に出てくる英単語数はおよそ２６００語から３０００語である。
【００１３】  また、本考案の壁紙は英語以外の他の外国語にも応用ができる。
【符号の説明】
【００１４】  ▲１▼  英単語の綴り
▲２▼  英単語の発音
▲３▼  英単語の意味
【図１】
0003221106.tif 000003
【図２】
0003221106.tif 000004
【図３】
0003221106.tif 000005
【手続補正書】
【提出日】平成30年11月14日(2018.11.14)
【手続補正１】
【補正対象書類名】実用新案登録請求の範囲
【補正対象項目名】全文
【補正方法】変更
【補正の内容】
【実用新案登録請求の範囲】
【請求項１】
本考案は英単語の綴り、発音、意味の三種類の情報を表記していることを特徴とする壁紙であるが、その三種類の情報の本考案の壁紙における相互の位置関係は、図１、図２、図３で表しているごとく、それぞれの英単語の綴り▲１▼、発音▲２▼、意味▲３▼が他の英単語の綴り、発音、意味の表記と交わりあったり、割り込みあったりすることなく、同一英単語の綴り、発音、意味は必ず縦、横あるいは斜めに隣接する不可分の一組となった配置で表記されることを特徴とする英単語学習用壁紙である。
【手続補正書】
【提出日】平成31年1月31日(2019.1.31)
【手続補正１】
【補正対象書類名】実用新案登録請求の範囲
【補正対象項目名】全文
【補正方法】変更
【補正の内容】
【実用新案登録請求の範囲】
【請求項１】
複数の英単語の綴り、発音、意味の三種類の情報を表記していることを特徴とする英単語学習用壁紙であって、一英単語の綴り、発音及び意味は、縦、横あるいは斜めに隣接する不可分の一組となった状態で、且つ、他の英単語の綴り、発音、意味の表記と交わりあったり、割り込みあったりすることないよう壁紙に表記されていることを特徴とする英単語学習用壁紙。
(57)【要約】      （修正有）【課題】横並びとなっている事務用の机の隙間スペースに設置し、必要時に引き出し回転・固定してサイドテーブルとして使用可能とし省スペースはもとより作業性の向上を図り事務作業の負荷を軽減する格納式サイドテーブルを提供する。【解決手段】サイドテーブルあるいは書類立てとして使用する天板１、天板を引き出し、回転可能に保持する支持軸３、支持軸を固定するための固定治具４、５、及び、引き出された天板を任意の位置に停止可能とするストッパを備える。使用時には机付属の引き出しの使用が可能であり、また格納時には机間の隙間に収納することが可能であり、省スペース、作業性の向上に役立つ。【選択図】図１
0003221110.tif 000002
【実用新案登録請求の範囲】
【請求項１】
物体あるいは書類等を載置可能な平板状のサイドテーブルであって、使用しないときには机の側面に格納可能なことを特徴とする格納式サイドテーブル。
【請求項２】
請求項１においてサイドテーブル自体の固定が２つ以上の用途をもち、水平方向だけでなく、テーブルに適当な角度を持たせて固定可能なことを特徴とする格納式サイドテーブル。
【請求項３】
請求項１また請求項２において本考案を使用中においても机に付属する引き出し類の開閉及び利用が可能なことを特徴とする格納式サイドテーブル。
【請求項４】
請求項１、２及び３において、複数の机が横に並んだ状態においても、格納用筐体は机同士の隙間スペースに取り付けが可能とする格納式サイドテーブル。
【考案の詳細な説明】
【技術分野】
【０００１】  本考案は、簡易的に机の側面に取り付け取り外し、必要な時だけ引き出した上で固定して尚且つ複数の用途で使用することが可能な格納式サイドテーブルに関するものである。
【背景技術】
【０００２】  事務所等において事務用机等が横に並んだ状態では隣接する事務員等に影響を与えずに、且つ自身の作業性を阻害することなく、書類を開いたり、立てたりするためのスペースを確保することは困難である。
【先行技術文献】
【０００３】
【特許文献１】特開２００９−３９２０９
【特許文献２】特願２０１２−２４５９８２
【考案の概要】
【考案が解決しようとする課題】
【０００４】  一般事務エリア等事務机類が横列で配置されている限られたスペースの中で、自身の作業性はもとより、隣接する事務員等の作業性等を阻害することなく、簡易的に机上スペースを増加させることはスペース的にも経済的にも困難な点が多い。使用後は机間のスペースに格納でき、さらには既設の机等に簡易的に設置可能とすることにより、前述の欠点を解決しようとするものである。
【課題を解決するための手段】
【０００５】  引き出し、回転、固定することが可能な平板上の台を有し、水平方向に固定した場合にはサイドテーブルとしての使用が可能であり、適当な角度を付けて固定した場合には、書類立てとして利用が可能で、机間の狭隘なスペースに格納可能なことを特徴とする本考案において、課題を解決している。
【考案の効果】
【０００６】  上述のように、本考案の格納式サイドテーブルはサイドテーブルとして物体の載置及び書類立てとしての利用が可能なことは勿論、使用中においても机に付属する引き出しの利用及び机間に設置可能とすることにより、省スペース、作業の効率化、さらには経済的な負担を軽減することに役立つ。
【図面の簡単な説明】
【０００７】
【図１】  本考案の一実施例を示す全体図である。
【図２】  本考案を構成するテーブル面の図である。
【図３】  本考案を構成する筐体の図である。
【考案を実施するための形態】
【０００８】  限定的な事務作業スペースの中において、使用、格納を可能とするために、サイドテーブル面は引き出し、回転、固定させて使用するが必要な耐久性を確保すること、尚且つ、多用途可を可能とさせる機構の開発によって実現させた。
【実施例】
【０００９】  以下、添付図面に従って一実施例を説明する。１は引き出し・回転・固定して使用する天板、２は机間に設置可能な格納用筐体、３は天板を引き出し・回転を可能とする支持軸、４は天板支持軸を固定及び定位置固定するための前方固定冶具、５は天板支持軸を後方で固定する後方固定冶具、６は天板引っ張り用ばね、７はばね抑え板、８は筐体を机に固定するシート状マグネット。【００１０】  筐体を机の側板にシート状マグネットあるいは両面接着テープ等により固定する。天板を引き出し回転させて、水平状態となる位置でばねの力により溝に嵌合する。天板上に書類その他の物体を載置して使用する。天板を嵌合部より引き出し回転させて、適当な角度の位置にある別の溝に嵌合させることにより書類立てとして使用可能である。格納は天板を引き出し垂直方向にして押し込むことにより可能である。
【符号の説明】
【００１１】１  天板
２  格納用筐体
３  支持軸
４  前方固定冶具
５  後方固定冶具
６  ばね
７  ばね抑え板
８  両面接着テープ
【図１】
0003221110.tif 000003
【図２】
0003221110.tif 000004
【図３】
0003221110.tif 000005
【手続補正書】
【提出日】平成31年2月8日(2019.2.8)
【手続補正１】
【補正対象書類名】実用新案登録請求の範囲
【補正対象項目名】全文
【補正方法】変更
【補正の内容】
【実用新案登録請求の範囲】
【請求項１】
サイドテーブルに取り付けられた、書類などの物体が載置可能な天板を有し、該天板を保持し且つ天板が回転可能に設けられており、天板は該支持軸に机から引き出される方向にスライド可能であって、引き出された天板を任意の位置に停止可能にするストッパーを設けたことを特徴とする、天板格納式サイドテーブル。
(57)【要約】      （修正有）【課題】金づちで小さい釘などを打ち込もうとする際、手元がくるって指を叩いたりすることを防止する釘打ち補助具を提供する。【解決手段】２本の角棒１の間に溝２を設け、ハンドル４の間に取り付けたばね３を使って強力に釘を挟む。【選択図】図１
0003221198.tif 000002
【実用新案登録請求の範囲】
【請求項１】
角棒２本の間に溝を設け、ばねを使って強力に釘を挟めるようにし、これを片手で開閉できるようにハンドルを付けた釘打ち補助具。
【考案の詳細な説明】
【技術分野】
【０００１】
本考案は、金づちで小さい釘などを打ち込もうとする際、手元がくるって指を叩いたりすることを防止するとともに、垂直又は角度を付けて正確に打ち込むことを可能とするものである。
【背景技術】
【０００２】
通常、金づちで釘を打ち込むときは、釘を指でつまんで、もう一方の手で持った金づちでその釘の頭を叩き、打ち込む。
【０００３】
そのため、釘が小さいときなどは手元が狂い、指を叩いてしまうことがままある。
【０００４】
そこで、ラジオペンチやピンセットを使用するのだが、釘を確実に固定することが素人にとっては特に難しく、失敗することも多い。
【０００５】
さらに、角度を付けて正確に打ち込むことも又難しい。
【先行技術文献】
【特許文献】
【０００６】
【特許文献１】なし
【非特許文献】
【０００７】
【非特許文献１】なし
【考案の概要】
【考案が解決しようとする課題】
【０００８】
解決しようとする問題点は、金づちで小さい釘などを打ち込もうとする際、手元がくるって指を叩いたりすることを防止するとともに、垂直又は角度を付けて正確に打ち込むことを可能とする点にある。
【課題を解決するための手段】
【０００９】
本考案は、釘を挟む溝を直角に付けた角棒２本を、ばねを使って片手で開閉できるようにする。
【００１０】
さらに、挟む角棒がずれないようにガイドを２箇所設ける。
【考案の効果】
【００１１】
本考案は、金づちで小さい釘を打ち込もうとする際、手元がくるって指を叩く危険性は皆無となるという利点がある。
【００１２】
しかも正確に、垂直に打ち込め、又任意の角度も容易につけられるようになるという利点もある。
【図面の簡単な説明】
【００１３】
【図１】図１は本考案を斜め上から見た図である。
【考案を実施するための形態】
【００１４】
釘を挟む溝を直角に付けた角棒２本を、ばねを使って片手で開閉できるようにした構造である。
【実施例】
【００１５】
図１において、溝に釘を挟んで上から金づちで叩く。
【産業上の利用可能性】
【００１６】
金づちで釘を打とうとするすべての人々を危険から守り、安全にまた安心して作業を行うことが可能となる。
【符号の説明】
【００１７】
１    角棒
２    釘を挟むための溝
３    バネ
４    ハンドル
５    挟む角棒が互いにずれないようにするためのガイド
【図１】
0003221198.tif 000003
(57)【要約】      （修正有）【課題】方向指示機を備えた電動機付き自転車を提供する。【解決手段】バッテリー、乾電池、ソーラーパネル、ダイナモ、ボタン電池、外付けバッテリー、左スイッチ３Ｂ右スイッチ３Ａ、左前方指示機２Ｂ、左後方指示機、右前方指示機２Ａ、右後方指示機、それらを繋ぐ配線とを備え、バッテリー、外付けバッテリー、又は、ダイナモ、乾電池、ソーラーパネル、ボタン電池、外付けバッテリー、を電源として搭載した電動機付き自転車で有って、親指で右スイッチ３Ａを押すと右前方指示機２Ａと右後方指示機が点灯、左スイッチ３Ｂを押すと左前方指示機２Ｂと左後方指示機が点灯し、又もう一度押すと消灯する。【選択図】図１
0003221199.tif 000002
【実用新案登録請求の範囲】
【請求項１】
バッテリー（乾電池・ソーラーパネル・ダイナモ・ボタン電池）からの装置を電動自転車に取り付け、左スイッチ・右スイッチ・左前方、左後方指示機・右前方、右後方指示機・それらを繋ぐ配線を少なくとも備えた電動機付き自転車で有って、親指で右スイッチを押すと前と後の右側の指示ランプが点灯、左スイッチを押すと前と後ろの左側の指示ランプが点灯し、又もう一度押すと消灯する事を特徴とする電動機付き自転車。
【考案の詳細な説明】
【技術分野】
【０００１】本考案は、方向指示機を付けた電動機付き自転車に関するものである。
【背景技術】
【０００２】電動機付き自転車で走行中、前方・後方から来る歩行者及び自動車等を運転する者に左右どちらの方向に曲がろうとしているのか、確認できない状況であった。
【考案の概要】
【考案が解決しようとする課題】
【０００３】バッテリーを電源とする装置を取り付ける事により歩行者・自動車・バイク等を運転する者により安全性の高い自転車を提供しようとするものである。【０００４】電動機付き自転車に方向指示機を付けることにより確認できるようにした。
【課題を解決するための手段】
【０００５】本考案は、バッテリーからの電源装置を自転車に取り付け、左右スイッチ・左前方、左後方指示機・右前方、右後方指示機それらを繋ぐ配線を少なくとも備えた自転車で有って、グリップを離す事なく操作できるのが最大の特徴である。親指で右スイッチを押すと右前方と右後方の指示ランプが点灯し、左スイッチを押すと左前方と左後方の指示ランプが点灯し、又、もう一度押すと消灯する事を特徴とする方向指示機。【０００６】本考案は、電動機付き自転車の方向指示機は簡単な取り付けにも拘らず人命を守ろうとするものである。
【図面の簡単な説明】
【０００７】
【図１】本考案の電動機付き自転車の一実施例を示す図で有って、（ａ）は本電動機付き自転車のグリップ部分を正面から見た状態を示す図である。（ｂ）は本自転車のグリップ部分を運転者側から見た状態を示す図である。
【図２】本電動機付き自転車の側面図である。
【図３】本電動機付き自転車の後方に取付けられる方向指示器を示した図である。
【図４】本電動機付き自転車の配線ブロック図の一例である。
【０００８】自転車の前方、後方から来る歩行者・自動車・バイク・その他に対して安全のために自転車に方向指示機を取り付ける。
【考案を実施するための形態】
【０００９】電動機付き自転車のバッテリーから左スイッチ・右スイッチ・左前側指示機・左後側指示機・右前側指示機・右後側指示機それらをつなぐ配線を少なくとも備えた自転車で有って、グリップを離すことなく操作できるのが最大の特徴である。親指で右スイッチを押すと前側と後側の右側のランプが点灯し、もう一度押すと消灯する。親指で左スイッチを押すと前側と後側の左側のランプが点灯し、もう一度押と消灯する事を特徴とする方向指示機を備え付ける。
【実施例】
【００１０】図面に従って実施例を説明する。
１）サドルポストのバッテリー１からフレーム４に線を持っていく。
２）ハンドルポストから左右に分けて指示ランプ３Ａ・３Ｂを取り付ける。
３）グリップ１０Ａ・１０Ｂを握りながら親指で押せる範囲内にスイッチボタン２Ａ・２Ｂを取り付ける。
４）バッテリー１からチェーンケース６に沿わせ、泥除けステー７につなぎその線を泥除け８から後方指示ランプ９に沿わせて表に持ってくる。その線を後方指示機に取り付ける。
５）右スイッチボタン３Ａを押すと同時に右側指示ランプ２Ｂが点灯する。もう一度右スイッチボタンを押すと消灯する。
６）左スイッチボタン３Ｂを押すと同時に前左側指示ランプ３Ｂと後左側指示ランプが点灯する。もう一度左スイッチボタンを押すと消灯する。【００１１】自転車に取り付けたボタンを親指で押せる距離【００１２】本考案の１例は前方及び後方の人にもよく見えて、より安全に走行できる装置である。
【符号の説明】
【００１３】１００）    電動機付き自転車
１）１      バッテリー
２）２Ｂ    前右ランプ
３）２Ａ    前左ランプ
４）３Ａ    右スイッチボタン
５）３Ｂ    左スイッチボタン
６）１Ａ    配線
７）４      フレーム
８）７      泥除けステー
９）８      泥除け
１０）９    後方指示機
１１）９Ａ  後右指示ランプ
１２）９Ｂ  後左指示ランプ
【図１】
0003221199.tif 000003
【図２】
0003221199.tif 000004
【図３】
0003221199.tif 000005
【図４】
0003221199.tif 000006
【図５】
0003221199.tif 000007
【手続補正書】
【提出日】平成31年1月13日(2019.1.13)
【手続補正１】
【補正対象書類名】実用新案登録請求の範囲
【補正対象項目名】全文
【補正方法】変更
【補正の内容】
【実用新案登録請求の範囲】
【請求項１】
バッテリー、乾電池、ソーラーパネル、ダイナモ、ボタン電池、外付けバッテリー、左スイッチ右スイッチ、左前方指示機、左後方指示機、右前方指示機、右後方指示機、それらを繋ぐ配線とを備え、前記バッテリー、前記外付けバッテリー、又は、前記ダイナモ、乾電池、ソーラーパネル、ボタン電池、外付けバッテリー、を電源として搭載した電動機付き自転車で有って、親指で右スイッチを押すと右側の前方と後方の指示機が点灯、左スイッチを押すと左側の前方と後方の指示機が点灯し、又もう一度押すと消灯する事を特徴とする電動機付き自転車。
【手続補正書】
【提出日】平成31年3月8日(2019.3.8)
【手続補正１】
【補正対象書類名】明細書
【補正対象項目名】０００７
【補正方法】変更
【補正の内容】
【０００７】
【図１】  本考案の電動付き自転車の一実施例で有って、（ａ）は電動機付き自転車のグリップ部分を正面から見た状態を示す図である。（ｂ）は本宏悪の電動機付き自転車を運転者側から見た状態を示す図である。
【図２】  本考案の電動機付き自転車の側面図である。
【図３】  本考案の電動機付き自転車の背面図である。
【図４】  本考案の電動機付き自転車の後方に取付けられる方向指示器を示した図である。
【図５】  本考案の電動機付き自転車の配線ブロック図の一例である。
(57)【要約】【課題】  立体模型の構造を損なうこと無く、確実に変形・復元できる折り畳み式の立体模型を提供することにある。【解決手段】  立体を構成する正面部１と背面部２と左右の両側面部３，４からなり、正面部１はその下方を前方へ折曲させた裾広がりの傾斜部５を有しており、正面部１と背面部２と両側面部３，４のそれぞれの境界線Ｘを折り曲げ線（標準の折り曲げ線）にするとともに、傾斜部５と背面部２の間の両側面部３，４にもそれぞれ一方を内折りに他方を外折りにする折り曲げ線（独自の折り曲げ線）Ｙを設けることを特徴とした。【選択図】  図１
0003221150.tif 000002
【実用新案登録請求の範囲】
【請求項１】
折り畳み式の立体模型であって、立体を構成する正面部と背面部と左右の両側面部からなり、正面部はその下方を前方へ折曲させた裾広がりの傾斜部を有しており、正面部と背面部と両側面部のそれぞれの境界線を折り曲げ線にするとともに、傾斜部と背面部の間の両側面部にもそれぞれ一方を内折りに他方を外折りにする折り曲げ線を設けることを特徴とした折り畳み式立体模型。
【請求項２】
傾斜部に対して鋭角に取り付ける装飾体を備え、傾斜部と装飾体の間を架設する取付片に折り曲げ線を設けることを特徴とした請求項１記載の折り畳み式立体模型。
【請求項３】
正面部及び／又は背面部に名所旧跡又は風景・人物が描写されていることを特徴とした請求項１又は２記載の折り畳み式立体模型。
【請求項４】
正面部及び／又は背面部に描写された名所旧跡又は風景・人物に関連があるものを装飾体に描写されていることを特徴とした請求項２記載の折り畳み式立体模型。
【考案の詳細な説明】
【技術分野】
【０００１】
本願考案は、折り畳み可能な立体模型に関するものである。
【背景技術】
【０００２】
グリーティングカードや飛び出す絵本などでは、折り畳み可能な立体模型はいろいろと存在している（例えば、特許文献１など）
【先行技術文献】
【特許文献】
【０００３】
【特許文献１】特開２０１８−２０２１１５号公報
【考案の概要】
【考案が解決しようとする課題】
【０００４】
しかし、インテリアやお土産として提供される立体模型については、あまり折り畳み可能なものは存在していない。もし、折り畳み可能な立体模型があれば、インテリアやお土産として購入する場合でもかさばらずに便利であり、販売店にとっても省スペースで販売できるメリットがある。
【０００５】
一方で、立体模型を折り畳み可能にするためには、立体模型の構造を損なうこと無く、確実に変形・復元できる技術が求められる。本願考案者は、折り方に着目し、鋭意試作・研究を重ね、ついに独自の折り方に辿り着き、本願考案を完成するに至った。
【課題を解決するための手段】
【０００６】
本願考案の第１の考案は、折り畳み式の立体模型であって、立体を構成する正面部と背面部と左右の両側面部からなり、正面部はその下方を前方へ折曲させた裾広がりの傾斜部を有しており、正面部と背面部と両側面部のそれぞれの境界線を折り曲げ線（標準の折り曲げ線）にするとともに、傾斜部と背面部の間の両側面部にもそれぞれ一方を内折りに他方を外折りにする折り曲げ線（独自の折り曲げ線）を設けることを特徴とした折り畳み式立体模型である。
第２の考案は、傾斜部に対して鋭角に取り付ける装飾体を備え、傾斜部と装飾体の間を架設する取付片に折り曲げ線（独自の折り曲げ線）を設けることを特徴とした同折り畳み式立体模型である。
第３の考案は、正面部及び／又は背面部に名所旧跡又は風景・人物が描写されていることを特徴とした同折り畳み式立体模型である。
第４の考案は、正面部及び／又は背面部に描写された名所旧跡又は風景・人物に関連があるものを装飾体に描写されていることを特徴とした同折り畳み式立体模型である。
【考案の効果】
【０００７】
本願考案に係る「折り畳み式立体模型」によれば、標準の折り曲げ線だけでなく、独自の折り曲げ線を設けることで、立体模型の構造を損なうこと無く、確実に変形・復元できる。そのため、ワンタッチで立体にしたとき、底面が展示場所に安定した状態で置くことができる。
【図面の簡単な説明】
【０００８】
【図１】本願考案に係る「折り畳み式立体模型」を説明する説明図。
【図２】本願考案に係る「折り畳み式立体模型」の各部材を説明する説明図（１）。
【図３】本願考案に係る「折り畳み式立体模型」の各部材を説明する説明図（２）。
【図４】本願考案に係る「折り畳み式立体模型」の各部材を説明する説明図（３）。
【考案を実施するための形態】
【０００９】
本願考案に係る「折り畳み式立体模型」を図面に基づいて説明する。
まず、図１を説明する。
図１は、折り畳み式立体模型の折り畳み状態（上図）と立体にした状態（下図）を図示したものである。
折り畳み式立体模型は、立体を構成する正面部１と背面部２と左右の両側面部３，４とからなっている。また、正面部１はその下方を前方へ折曲させた裾広がりの傾斜部５を有している。
【００１０】
そして、正面部１と背面部２と両側面部３，４のそれぞれの境界線Ｘを折り曲げ線（標準の折り曲げ線）にしている。
さらに、傾斜部５と背面部２の間の両側面部３，４にもそれぞれ折り曲げ線Ｙ（独自の折り曲げ線「ｏｓａｍｕ  ｏｒｉ（イ）」）を設ける。この折り曲げ線Ｙは、一方を内折りに他方を外折りにしている。
これによって、この折り畳み式立体模型は、立体模型の構造を損なうこと無く、確実に折り畳み可能になっている（＝確実に変形・復元できる）。
【００１１】
また、折り畳み式立体模型は、傾斜部５に対して鋭角に取り付ける装飾体６を備えている。そして、傾斜部５と装飾体６の間を架設する取付片７に折り曲げ線Ｚ（独自の折り曲げ線「ｏｓａｍｕ  ｏｒｉ（ロ）」）を設ける。
これによって、装飾体６も、その構造を損なうこと無く、確実に折り畳み可能になっている（＝確実に変形・復元できる）。
【００１２】
次に、図２〜図４を説明する。
図２〜図４は、折り畳み式立体模型の分解図（各構成部材の説明図）である。
図２は、背面図２と両側面図３，４を図示している。境界線Ｘ（標準の折り曲げ線）の他に両側面図３，４には独自の折り曲げ線Ｙを設けている。上記の通り、この折り曲げ線Ｙは、一方を内折りに他方を外折りにしている。
【００１３】
図３は、正面部１を図示している。
図４は、装飾体６を図示している。装飾体６には、傾斜部５との間を架設する取付片７を備えており、その取付片７（１／２の位置）に折り曲げ線Ｚを設けている。
なお、図２〜図４で図示した各構成部材の材質は、プラスチックシート、紙、段ボール、木、ベニヤ板などを用いることができ、特に限定するものではない。
【産業上の利用可能性】
【００１４】
本願考案に係る「折り畳み式立体模型」は、インテリアや観光地のお土産用として提供される立体模型やジオラマ等として幅広く利用できるものである。但し、これらの用途に限定されるものではない。
【符号の説明】
【００１５】
１  正面部
２  背面部
３  側面部（右）
４  側面部（左）
５  傾斜部
６  装飾体
７  取付片
Ｘ  境界線（折り曲げ線：標準）
Ｙ  折り曲げ線（独自）
Ｚ  折り曲げ線（独自）
【図１】
0003221150.tif 000003
【図２】
0003221150.tif 000004
【図３】
0003221150.tif 000005
【図４】
0003221150.tif 000006